(57)【要約】【課題】  デジタルデータ再生装置の構成部品の点数をより少なくする。【解決手段】  ＣＰＵ１０からハードディスク１３に記録された音声データの読出しの指示が出されると、ハードディスク１３に記録された音声データは、メモリ１４に保存される。なお、メモリ１４内には、出力されるべきチャンネルごとに異なる記憶領域を有する音声データ記憶部１４０が備えられている。そして、ＣＰＵ１０は、音声データをメモリ１４に保存した後、当該音声データを、出力されるべきチャンネルごとに、音声データ記憶部１４０内の対応する記憶領域に保存する。音声データ記憶部１４０の各記憶領域に保存された音声データは、それぞれ、Ｄ／Ａ変換部１５に送られて、アナログデータに変換された後、所定の装置へと出力される。【選択図】        図１
2005311440.tif 000002
【特許請求の範囲】
【請求項１】
記録媒体に記録されたデジタルデータの中の音声データを一時的に保存するメモリと、
前記メモリに接続され、音声を出力する装置に接続されるデジタル／アナログ変換手段と、
前記メモリに、前記記録媒体に記録された音声データを保存させ、当該保存された音声データに対して特別処理を実行した後に、前記デジタル／アナログ変換手段に送信するデータ処理手段とを含み、
前記メモリは、データを保存するための第１および第２の領域を備え、
前記特別処理は、前記メモリに保存された音声データの中で、前記音声を出力する装置において第１のチャンネルで出力されるべきデータを前記第１の領域に保存し、かつ、前記音声を出力する装置において前記第１のチャンネルとは異なるチャンネルである第２のチャンネルで出力されるべきデータを前記第２の領域に保存する処理であり、
前記デジタル／アナログ変換手段は、前記第１の領域に保存されたデータをアナログデータに変換し、かつ、当該アナログデータを前記第１のチャンネルで出力されるべきデータとして前記音声を出力する装置に送信し、また、前記第２の領域に保存されたデータをアナログデータに変換し、かつ、当該アナログデータを前記第２のチャンネルで出力されるべきデータとして前記音声を出力する装置に送信する、デジタルデータ再生装置。
【請求項２】
記録媒体に記録されたデジタルデータの中の音声データを一時的に保存するメモリと、
前記メモリに接続され、音声を出力する装置に接続されるデジタル／アナログ変換手段と、
前記メモリに、前記記録媒体に記録された音声データを保存させ、当該保存された音声データに対して、当該音声データに含まれるデータが前記音声を出力する装置において出力されるべきチャンネルで出力されるための処理である特別処理を実行した後に、前記デジタル／アナログ変換手段に送信するデータ処理手段とを含む、デジタルデータ再生装置。
【請求項３】
前記メモリは、データを保存するための第１および第２の領域を備え、
前記特別処理は、前記メモリに保存された音声データの中で、前記音声を出力する装置において第１のチャンネルで出力されるべきデータを前記第１の領域に保存し、かつ、前記音声を出力する装置において前記第１のチャンネルとは異なるチャンネルである第２のチャンネルで出力されるべきデータを前記第２の領域に保存する処理であり、
前記デジタル／アナログ変換手段は、前記第１の領域に保存されたデータをアナログデータに変換し、かつ、当該アナログデータを前記第１のチャンネルで出力されるべきデータとして前記音声を出力する装置に送信し、また、前記第２の領域に保存されたデータをアナログデータに変換し、かつ、当該アナログデータを前記第２のチャンネルで出力されるべきデータとして前記音声を出力する装置に送信する、請求項２に記載のデジタルデータ再生装置。
【発明の詳細な説明】
【技術分野】
【０００１】
本発明は、デジタルデータを再生する装置に関し、特に、デジタルデータの再生において、音声データの取扱いに特徴のあるデジタルデータ再生装置に関する。
【背景技術】
【０００２】
従来、デジタルデータの再生における音声データの再生は、図５（Ａ）および図５（Ｂ）に示すようなものであった。なお、図５（Ａ）は、当該音声データを含むデータが記憶される態様を示す図であり、図５（Ｂ）は、当該音声データが処理される装置の構成を部分的に模式的に示す図である。そして、デジタルデータ１００の中の音声データが、再生装置によって読出され、当該再生装置の所定のメモリ１０１にコピーされ、オーディオＤ／Ａ（デジタル／アナログ）コンバータ１０２で２チャンネル（右チャンネルと左チャンネル）のアナログデータに変換された後、オーディオミキサ１０３に入力され、そして、オーディオミキサ１０３から外部のスピーカ等に対して、右チャンネルと左チャンネルに出力する音声データに変換されて出力されていた。
【０００３】
また、従来から、デジタルデータの再生に関する技術において、音声データの取扱いについて、種々の技術が開示されてきている。
【０００４】
たとえば、特許文献１には、放送用信号として、複数の音声のイベントが存在する音声信号について音声イベント毎に音声チャンネルを割り当てた信号を用い、それらをダウンミックスする計算式を導入し、各チャンネル毎のダウンミックス計数を送出し、そして、受信機において、これらを用い出力形態に合わせたダウンミックスを行なうことにより、音声イベント毎に制御を行なう技術が開示されている。
【０００５】
また、特許文献２には、衛星放送受信装置において、チャンネル切換時および電源投入時に、Ｄ／Ａ変換器の出力をリセットすることにより、電源投入時やチャンネル切換時に発生する異音を消す技術が開示されている。
【特許文献１】特開２００１−２９８６８０公報
【特許文献２】特開平５−１６７９４８号公報
【発明の開示】
【発明が解決しようとする課題】
【０００６】
上記したような背景技術において、特に、特許文献２によると、衛星放送受信装置に、上記した異音を消すためのミュートトランジスタ等を備えさせる必要がなくなる。このように、デジタルデータを再生する装置において構成部品の点数をより少なくすることは、他の装置に対しても同様のことであるが、常に望まれていることである。
【０００７】
本発明は、かかる実情に鑑み考え出されたものであり、その目的は、デジタルデータ再生装置において、構成部品の点数をより少なくすることである。
【課題を解決するための手段】
【０００８】
本発明のある局面に従ったデジタルデータ再生装置は、記録媒体に記録されたデジタルデータの中の音声データを一時的に保存するメモリと、前記メモリに接続され、音声を出力する装置に接続されるデジタル／アナログ変換手段と、前記メモリに、前記記録媒体に記録された音声データを保存させ、当該保存された音声データに対して特別処理を実行した後に、前記デジタル／アナログ変換手段に送信するデータ処理手段とを含み、前記メモリは、データを保存するための第１および第２の領域を備え、前記特別処理は、前記メモリに保存された音声データの中で、前記音声を出力する装置において第１のチャンネルで出力されるべきデータを前記第１の領域に保存し、かつ、前記音声を出力する装置において前記第１のチャンネルとは異なるチャンネルである第２のチャンネルで出力されるべきデータを前記第２の領域に保存する処理であり、前記デジタル／アナログ変換手段は、前記第１の領域に保存されたデータをアナログデータに変換し、かつ、当該アナログデータを前記第１のチャンネルで出力されるべきデータとして前記音声を出力する装置に送信し、また、前記第２の領域に保存されたデータをアナログデータに変換し、かつ、当該アナログデータを前記第２のチャンネルで出力されるべきデータとして前記音声を出力する装置に送信することを特徴とする。
【０００９】
本発明の他の局面に従ったデジタルデータ再生装置は、記録媒体に記録されたデジタルデータの中の音声データを一時的に保存するメモリと、前記メモリに接続され、音声を出力する装置に接続されるデジタル／アナログ変換手段と、前記メモリに、前記記録媒体に記録された音声データを保存させ、当該保存された音声データに対して、当該音声データに含まれるデータが前記音声を出力する装置において出力されるべきチャンネルで出力されるための処理である特別処理を実行した後に、前記デジタル／アナログ変換手段に送信するデータ処理手段とを含むことを特徴とする。
【００１０】
また、本発明の他の局面に従ったデジタルデータ再生装置では、前記メモリは、データを保存するための第１および第２の領域を備え、前記特別処理は、前記メモリに保存された音声データの中で、前記音声を出力する装置において第１のチャンネルで出力されるべきデータを前記第１の領域に保存し、かつ、前記音声を出力する装置において前記第１のチャンネルとは異なるチャンネルである第２のチャンネルで出力されるべきデータを前記第２の領域に保存する処理であり、前記デジタル／アナログ変換手段は、前記第１の領域に保存されたデータをアナログデータに変換し、かつ、当該アナログデータを前記第１のチャンネルで出力されるべきデータとして前記音声を出力する装置に送信し、また、前記第２の領域に保存されたデータをアナログデータに変換し、かつ、当該アナログデータを前記第２のチャンネルで出力されるべきデータとして前記音声を出力する装置に送信することが好ましい。
【発明の効果】
【００１１】
本発明によると、デジタルデータ再生装置において、メモリに保存された音声データは、データ処理手段により、出力されるべきチャンネルに出力されるための処理がなされた後、アナログデータに変換されて、音声を出力する装置へと送られる。これにより、従来のように、音声データに対して、アナログデータへの変換を行なった後に出力されるべきチャンネルへとデータを振り分けるオーディオミキサが不要となる。したがって、デジタルデータ再生装置において、構成部品の点数をより少なくすることができる。
【００１２】
また、本発明によると、２つのチャンネルに出力されるための音声データの振り分けが、メモリ内の２つの領域のそれぞれに音声データを保存することにより行なわれる。これにより、音声データの振り分けのための処理が容易になる。
【発明を実施するための最良の形態】
【００１３】
以下に、本発明の一実施の形態である情報記録再生装置を、図面を参照しつつ詳細に説明する。
【００１４】
図１は、本実施の形態の情報記録再生装置における、音声データの再生に関する部分の構成を模式的に示す図である。
【００１５】
情報記録再生装置１では、まず、アナログ／デジタル変換部（Ａ／Ｄ変換部）１１に、アナログ形式の音声データが入力されると、当該音声データが、デジタルデータに変換されて、メモリ１２に一時的に保存された後、ハードディスク１３に書込まれ、記録される。なお、ハードディスク１３への書込みは、ＣＰＵ（Central Processing Unit）１０によって制御される。
【００１６】
また、ＣＰＵ１０からハードディスク１３に記録された音声データの読出しの指示が出されると、ハードディスク１３に記録された音声データは、メモリ１４に保存される。なお、メモリ１４内には、出力されるべきチャンネルごとに異なる記憶領域を有する音声データ記憶部１４０が備えられている。そして、ＣＰＵ１０は、音声データをメモリ１４に保存した後、当該音声データを、出力されるべきチャンネルごとに、音声データ記憶部１４０内の対応する記憶領域に保存する。
【００１７】
そして、音声データ記憶部１４０の各記憶領域に保存された音声データは、それぞれ、Ｄ／Ａ変換部１５に送られて、アナログデータに変換された後、所定の装置へと出力される。なお、情報記録再生装置１内に、アナログ音声回路やスピーカを備えている場合であれば、Ｄ／Ａ変換部１５においてアナログデータに変換された音声データは、当該アナログ音声回路に出力される。
【００１８】
以上説明した音声データ記憶部１４０の各記憶領域への音声データの保存態様を、音声データとしてハードディスク１３に右チャンネル音声データと左チャンネル音声データの２つのチャンネルで音声データが記録され、そして、２つのチャンネルで音声データが出力されるような場合について、図２〜図４を用いてより詳細に説明する。
【００１９】
ハードディスク１３において上記のように音声データが記録されている場合、メモリ１４にも、右チャンネル音声データ、および、左チャンネル音声データが記憶される。
【００２０】
そして、右チャンネル音声データが右チャンネルで出力され、かつ、左チャンネル音声データが左チャンネルで出力されるべき場合には、ＣＰＵ１０による制御により、音声データ記憶部１４０では、図２に示されるように、領域１４０Ａに右チャンネル音声データが、領域１４０Ｂに左チャンネル音声データが、そして、領域１４０Ｃにヘッダが、保存される。
【００２１】
また、右チャンネル音声データと左チャンネル音声データとが右チャンネルで出力されるべき場合には、ＣＰＵ１０による制御により、音声データ記憶部１４０では、図３に示されるように、領域１４０Ａに右チャンネル音声データが保存され、領域１４０Ｂにも右チャンネル音声データがコピーされて保存され、そして、領域１４０Ｃにヘッダが保存される。
【００２２】
また、右チャンネル音声データと左チャンネル音声データとが左チャンネルで出力されるべき場合には、ＣＰＵ１０による制御により、音声データ記憶部１４０では、図４に示されるように、領域１４０Ｂに左チャンネル音声データが保存され、領域１４０Ａにも左チャンネル音声データがコピーされて保存され、そして、領域１４０Ｃにヘッダが保存される。
【００２３】
以上説明した本実施の形態において、右チャンネル音声データと左チャンネル音声データの一例としては、左右のスピーカの右側から出力されるべき音声データと左側から出力されるべき音声データを挙げることができるが、他の例として、互いに異なる言語からなる音声データを挙げることができる。
【００２４】
なお、以上説明した本実施の形態では、デジタルデータ再生装置の一例として情報記録再生装置について説明を行なったが、本発明のデジタルデータ再生装置は、必ずしも、記録機能を有していなくても良い。
【００２５】
また、読出される音声データは、必ずしもハードディスクに記録されていなくても良く、デジタルデータ再生装置に対して着脱可能なディスク型等の記録媒体に記録されていてもよい。
【００２６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２７】
【図１】本発明の一実施の形態である情報記録再生装置における、音声データの再生に関する部分の構成を模式的に示す図である。
【図２】図１の情報記録再生装置における、音声データ記憶部の各記憶領域への音声データの保存態様を説明するための図である。
【図３】図１の情報記録再生装置における、音声データ記憶部の各記憶領域への音声データの保存態様を説明するための図である。
【図４】図１の情報記録再生装置における、音声データ記憶部の各記憶領域への音声データの保存態様を説明するための図である。
【図５】従来のデジタルデータの再生における音声データの再生を説明するための図である。
【符号の説明】
【００２８】
１  情報記録再生装置、１０  ＣＰＵ、１１  Ａ／Ｄ変換部、１２，１４  メモリ、１３  ハードディスク、１５  Ｄ／Ａ変換部、１４０  音声データ記憶部。
【図１】
2005311440.tif 000003
【図２】
2005311440.tif 000004
【図３】
2005311440.tif 000005
【図４】
2005311440.tif 000006
【図５】
2005311440.tif 000007